(57)【要約】【課題】  空調機からの冷気が、直接当たると、冷え性のほか、体のバランスにも影響を及ぼすとのことで、本出願人は、特開２０１１−００２１３４号公報に記載の製品を提案する。製品は、吹出口の風を利用して回転し、空調機からの冷気を、撹拌する構造であり、低コスト化で提供できることで、好評を博している。製品において、吹出口の冷気に関する要望があり、例えば、冷気の風が、ウエーブ状に凪いだ風としてほしいとのことであり、工夫が必要となってきた。【解決手段】  本発明は、回転羽根車を、空調機の吸込口に、また、羽ばたき羽根車を、空調機の吹出口に、それぞれ設ける構成とすることで、回転羽根車を回転可能にし、羽ばたき羽根車の羽ばたきを確保可能とする空調機の気流撹拌装置とした。冷気時の直風を無くし、かつ暖気の攪拌を図れることで、年間を通して利用できる気流撹拌装置を提供できる。【選択図】    図１
2015148364.tif 000002
【特許請求の範囲】
【請求項１】
空調機に垂架したシャフトに回転羽根車と、羽ばたき羽根車とを設け、
この回転羽根車を、該空調機の吸込口に、また、前記羽ばたき羽根車を、該空調機の吹出口に、それぞれ設ける構成とすることで、該回転羽根車を回転可能に、該羽ばたき羽根車を羽ばたき可能にすることを特徴とした空調機の気流撹拌装置。
【請求項２】
前記回転羽根車の上に、前記羽ばたき羽根車を設けることを特徴とした請求項１に記載の空調機の気流撹拌装置。
【請求項３】
前記羽ばたき羽根車のスポークを、可撓性の部材で構成することを特徴とした請求項１に記載の空調機の気流撹拌装置。
【請求項４】
前記回転羽根車のハブと、前記羽ばたき羽根車のハブとを、別体構成とすることを特徴とした請求項１に記載の空調機の気流撹拌装置。
【請求項５】
前記回転羽根車のハブと、前記羽ばたき羽根車のハブとの間に、回転羽根車の回転を可能とする空間を形成することを特徴とした請求項１に記載の空調機の気流撹拌装置。
【請求項６】
前記シャフトは、前記空調機のガーニッシュに設けたキャップに垂架することを特徴とした請求項１に記載の空調機の気流撹拌装置。
【請求項７】
前記シャフトは、前記キャップに着脱自在に設けられることを特徴とした請求項１に記載の空調機の気流撹拌装置。
【発明の詳細な説明】
【技術分野】
【０００１】
本発明は、空調機（空気調和機：エアコン）に取付けられる空調機の気流撹拌装置（ファン装置）に関する。
【背景技術】
【０００２】
空調機からの冷気（冷風）が、直接当たると（直風）、冷え性のほか、体のバランスにも影響を及ぼすと考えられている。この解決策として、例えば、本出願人が提案する、特開２０１１−００２１３４号公報に記載の「空気調和機のファン装置」がある。この文献１は、ファン（羽根部材）が、暖房時において、暖気（暖風）を遮る虞が有り、冬場には利用されていない結果となっている。そこで、本出願人は、吸込口にも羽根車を設ける構成を考えて提案している。この考えと、同じような考えの発明として、ＷＯ２０１１−１５５３７１号公報の「気流拡散装置（拡散扇）及び空気調和機」がある。この文献２は、受風部材と拡散部材とか同時に回転する構造であり、文献１と同じような改良点が考えられる。
【０００３】
そこで、本発明は、吸込口の風を利用し回転（動作）する回転羽根車（内フィン）と、吹出口の風を利用し羽ばたき動作をする羽ばたき羽根車（外フィン）を、それぞれ設けることで、冷気時の直風（吹き降ろし風）を無くし、暖気の攪拌を図ることで、年間を通して利用できる気流撹拌装置を提供することと、回転・羽ばたき羽根車の異なる動作を利用し、安定した冷暖気を、室内に供給し、かつ室内の空気の撹拌と、冷暖房効率向上と、省エネが図れる気流撹拌装置を提供する。
【０００４】
【特許文献１】特開２０１１−００２１３４号公報
【特許文献２】ＷＯ２０１１−１５５３７１号公報
【発明の開示】
【発明が解決しようとする課題】
【０００５】
本発明は、従来の発明を、一層発展し、次の目的達成を意図する。即ち、吸込口に配備した回転羽根車と、吹出口に配備した羽ばたき羽根車とで、冷気時の直風を無くし、かつ暖気の攪拌を図れることで、年間を通して利用できる気流撹拌装置を提供する。また、回転・羽ばたき羽根車の異なる動作を利用し、安定した冷暖気を、室内に供給し、かつ室内の空気の撹拌と、冷暖房効率向上と、省エネが図れる気流撹拌装置を提供する。
【課題を解決するための手段】
【０００６】
本発明は、前述した目的達成を意図し、次のような請求項１〜請求項７の発明を提供する。
【０００７】
請求項１では、空調機に垂架したシャフトに回転羽根車と、羽ばたき羽根車とを設け、
この回転羽根車を、該空調機の吸込口に、また、前記羽ばたき羽根車を、該空調機の吹出口に、それぞれ設ける構成とすることで、該回転羽根車を回転可能に、該羽ばたき羽根車を羽ばたき可能にすることを特徴とした空調機の気流撹拌装置である。
【０００８】
請求項２では、前記回転羽根車の上に、前記羽ばたき羽根車を設ける構成とする請求項１に記載の空調機の気流撹拌装置である。
【０００９】
請求項３では、前記羽ばたき羽根車のスポークを、可撓性の部材で構成する請求項１に記載の空調機の気流撹拌装置である。
【００１０】
請求項４では、前記回転羽根車のハブと、前記羽ばたき羽根車のハブとを、別体構成とする請求項１に記載の空調機の気流撹拌装置である。
【００１１】
請求項５では、前記回転羽根車のハブと、前記羽ばたき羽根車のハブとの間に、回転羽根車の回転を可能とする空間を形成する請求項１に記載の空調機の気流撹拌装置である。
【００１２】
請求項６では、前記シャフトは、前記空調機のガーニッシュに設けたキャップに垂架する請求項１に記載の空調機の気流撹拌装置である。
【００１３】
請求項７では、前記シャフトは、前記キャップに着脱自在に設けられる請求項１に記載の空調機の気流撹拌装置である。
【発明の効果】
【００１４】
請求項１では、回転羽根車を、空調機の吸込口に、また、羽ばたき羽根車を、空調機の吹出口に、それぞれ設ける構成とすることで、回転羽根車を回転可能にし、羽ばたき羽根車の羽ばたきを確保可能とする空調機の気流撹拌装置としたので、
「イ」として、冷気時の直風を無くし、かつ暖気の攪拌を図れることで、年間を通して利用できる気流撹拌装置の提供と、
「ロ」として、安定した冷暖気を、室内に供給し、かつ室内の空気の撹拌と、冷暖房効率向上と、省エネが図れる気流撹拌装置の提供と、
「ハ」として、冷気直風の弊害解消と、暖気の攪拌効率化とが図れる気流撹拌装置の提供と、ができる。
【００１５】
請求項２では、回転羽根車の上に、羽ばたき羽根車を設ける構成とする空調機の気流撹拌装置としたので、
請求項１の「イ」〜「ハ」と、「ニ」として、回転羽根車の動きに弊害とならない気流撹拌装置の提供と、ができる。
【００１６】
請求項３では、羽ばたき羽根車のスポークを、可撓性の部材で構成する空調機の気流撹拌装置としたので、
請求項１の「イ」〜「ハ」と、「ホ」として、羽ばたき羽根車の羽ばたく動きを確保できる気流撹拌装置の提供と、ができる。
【００１７】
請求項４では、回転羽根車のハブと、羽ばたき羽根車のハブとを、別体構成とする空調機の気流撹拌装置としたので、
請求項１の「イ」〜「ハ」と、「ヘ」として、回転羽根車と、羽ばたき羽根車とを、個別に修理、取換等できる汎用性に優れた気流撹拌装置の提供と、ができる。
【００１８】
請求項５では、回転羽根車のハブと、羽ばたき羽根車のハブとの間に、回転羽根車の回転を可能とする空間を形成する空調機の気流撹拌装置としたので、
請求項１の「イ」〜「ハ」と、「ニ」とを達成できる気流撹拌装置の提供ができる。
【００１９】
請求項６では、シャフトは、空調機のガーニッシュに設けたキャップに垂架する空調機の気流撹拌装置としたので、
請求項１の「イ」〜「ハ」と、「ト」として、取付け、又は修理、取換等できる汎用性に優れた気流撹拌装置の提供と、ができる。
【００２０】
請求項７では、シャフトは、キャップに着脱自在に設けられる空調機の気流撹拌装置としたので、
請求項１の「イ」〜「ハ」と、「ト」とを達成できる気流撹拌装置の提供ができる。
【図面の簡単な説明】
【００２１】
【図１】気流撹拌装置を仰視した斜視図
【図２】気流撹拌装置の側面図
【図３】気流撹拌装置の平面図
【図４】気流撹拌装置を空調機に取付けた状態の側面図
【図５】気流撹拌装置を空調機に取付けた状態の仰視図
【図６】気流撹拌装置の支持部材、ケース、並びにハブ部材等の一例を示した拡大断面図
【発明を実施するための最良の形態】
【００２２】
本発明の好ましい実施例を、順に説明する。
【００２３】
１は天井埋込型の空調機であり、この空調機１は、中心部に吸込口１００を有しており、その外側辺部に吹出口１０１を有する構造であって、室内の空気を吸込口１００で吸込み、この吸込み空気を、冷暖気に空調して、吹出口１０１より、吹出風として、室内に吹出す構造である。
【００２４】
吸込口１００には回転羽根車２が、空調機１のガーニッシュ（ルーバー）１０２の吸込面１００ａに傾斜して設けられており、この吸込口１００より吸込み風Ｘ１により回転するように配設される。また、吹出口１０１には羽ばたき羽根車３が、ガーニッシュ１０２吹出面１０１ａに水平に設けられており、この吹出口１０１より吹出し風Ｘ２を遮り、かつ吹出し風Ｘ２により羽ばたき動作をするとともに、この吹出し風Ｘ２を、羽ばたきで撹拌する（又は、放射方向に流す）ように配設される。この羽ばたき羽根車３は、吹出口１０１の吹出し風Ｘ２（冷暖気：空気）では、原則として、回転しない。また、回転羽根車２の回転で撹拌される撹拌風Ｘ３により、羽ばたき動きをすることもあり得る。
【００２５】
回転羽根車２は、空調機１のガーニッシュ１０２に垂下したシャフト５の下側の適所に設けられている。この例では、回転羽根車２を支えるスポーク２００が取付けられるハブ部材２０１（回転板）を、シャフト５に遊嵌する。そして、シャフト５は、空調機１のガーニッシュ１０２に、着脱自在に設けた取付具６と、この取付具６の下側に設けたキャップ７とを介して、空調機１に垂下されている。尚、シャフト５は、この例では、ボルト軸とする。この例では、ハブ部材２０１の複数の差込部（取付け孔）２０１ａに、数本のスポーク２００が、それぞれ差込み、かつ係止される。
【００２６】
羽ばたき羽根車３は、空調機１のガーニッシュ１０２（ルーバー）に垂下したシャフト５の下側の適所に設けられている。この例では、羽ばたき羽根車３を支えるスポーク３００が取付けられるハブ部材３０１（上ベース）を、シャフト５に設けるとともに、回転羽根車２のハブ部材２０１の上に載架される。この例では、ハブ部材３０１の複数の差込部（取付け孔）３０１ａに、数本のスポーク３００が、それぞれ差込み、かつ係止される。
【００２７】
尚、このハブ部材２０１とハブ部材３０１との間には、スペーサ１０を介在して空間８を形成する。この空間８は、回転羽根車２の羽根２ａ（フィン）と、羽ばたき羽根車３の羽根３ａ、及び／又は、スポーク３００との接触回避とともに、この回転羽根車２の回転を確保する。また、この回転羽根車２の傾斜角度（天井面に対する傾斜角度）は、２５°〜４５°とする。即ち、吸込み風Ｘ１により回転する角度を確保する。
【００２８】
前記羽ばたき羽根車３を支えるスポーク３００は、可撓性を備えていて、スポーク３００の可撓性と、羽ばたき羽根車３に対する、拡散風Ｘ４、及び／又は、吹出し風Ｘ２、或いは撹拌風Ｘ３の力とで、羽ばたき羽根車３の羽ばたき（羽ばたき動作）を可能とする。また、図示しないが、スポーク３００を剛性等とし、羽ばたき羽根車３を一点支持構造とすることで、羽ばたきを可能とする構造もあり得る。
【００２９】
図中１１は、シャフト５をキャップ７に緊締する止め具である。
【００３０】
図４と図５の如く、ガーニッシュ１０２に挾持するように取付具６を設けることで、キャップ７とシャフト５を介して、回転羽根車２が吸込口１００の下側に、また、羽ばたき羽根車３が吹出口１０１の下側に位置するように取付けられる。そして、空調機１が可動し、吸込口１００に向かった吸込み風Ｘ１により、回転羽根車２が、例えば、時計方向に回転する。この回転で、吸込み風Ｘ１の一部が、吹出口１０１の面に向かった、所謂、放射方向に拡散され、この拡散風Ｘ４となる。拡散風Ｘ４は、羽ばたき羽根車３に向かって吹き、この羽ばたき羽根車３の羽ばたきの一翼を担うこととなり、かつ後述する直風Ｘ５の発生を減少させ得る効果も考えられる。
【００３１】
一方、吹出口１０１に設けられた羽ばたき羽根車３は、吹出し風Ｘ２を遮ることで、問題となっている直風Ｘ５の発生を、確実に、減少させ得る効果があり、かつ吹出し風Ｘ２により、羽ばたきが可能となる。併せて攪拌風Ｘ３となり、放射方向に撹拌する。攪拌風Ｘ３は、室内の空気との攪拌効果、及び／又は、冷暖効果が図れる。この攪拌風Ｘ３は、前述した拡散風Ｘ４との相乗効果、即ち、相乗による風作用で、羽ばたき、及び／又は、直風Ｘ５の発生減少に役立つことは、明らかである。また、水平方向の微動にも有効と考えられる。
【００３２】
尚、回転羽根車２と、羽ばたき羽根車３は、例えば、透明樹脂板、又は半透明樹脂板として、爽やかな感覚、瀟洒な感覚を発揮する。
【００３３】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００３４】
１          空調機
１００      吸込口
１００ａ    吸込面
１０１      吹出口
１０１ａ    吹出面
１０２      ガーニッシュ
２          回転羽根車
２ａ        羽根
２００      スポーク
２０１      ハブ部材
２０１ａ    差込部
３          羽ばたき羽根車
３ａ        羽根
３００      スポーク
３０１      ハブ部材
３０１ａ    差込部
５          シャフト
６          取付具
７          キャップ
８          空間
１０          スペーサ
１１        止め具
Ｘ１        吸込み風
Ｘ２        吹出し風
Ｘ３        撹拌風
Ｘ４        拡散風
Ｘ５        直風
【図１】
2015148364.tif 000003
【図２】
2015148364.tif 000004
【図３】
2015148364.tif 000005
【図４】
2015148364.tif 000006
【図５】
2015148364.tif 000007
【図６】
2015148364.tif 000008